(57)【特許請求の範囲】
【請求項１】
流体１１を通過させる出口管３４と、前記出口管３４から前記流体１１を分配するために作動可能なディスペンサ１８と、から成る流体ディスペンサ装置であって、
前記流体１１が前記出口管３４を通過する際前記流体１１を照射するように適合された電気式の照射部２４と、
前記出口管３４を通過する前記流体１１を分配するように適合された作動部材１２と、
電力供給部２６と、
前記作動部材１２によって作動可能であり、前記作動部材１２が作動されたとき、前記電力供給部２６と電気照射部２４との間の電気回路３０を閉じるように適合された電気制御部２８と、
分配する前記流体１１を収容するように適合されたタンク１４と、を更に含み、
前記照射部２４は、前記タンク１４に収容されている前記流体１１には照射せず、出口管３４を通過する前記流体１１のみを照射するように適合され、
前記照射部２４は電磁波源２４から成り、
前記電磁波源２４は前記出口管３４の近傍に配置され、
前記出口管３４は、放出口３６と、前記放出口３６の近傍に配置される開口部３８と、を備え、前記電磁波源２４は、前記開口部３８を通して前記流体１１を照射するよう構成されていることを特徴とするディスペンサ装置。
【請求項２】
前記作動部材１２は押しボタンである、請求項１に記載のディスペンサ装置。
【請求項３】
前記流体１１の前記出口管３４は前記押しボタン１２の一部である、請求項２に記載のディスペンサ装置。
【請求項４】
前記電力供給部２６は、押しボタン１２内に配置された電池２６から成る、請求項１乃至３のいずれか１つに記載のディスペンサ装置。
【請求項５】
前記ディスペンサ１８は、前記押しボタン１２によって作動可能であり、前記出口管３４から前記流体１１を分配でき、前記ディスペンサ１８は、本体２０と、前記本体２０に可動的に取付けられ前記押しボタン１２に固定される浸漬管２２と、を含み、前記電気制御部２８は、前記押しボタン１２に固定された電気接点を１つ以上と前記本体２０に固定された電気接点を１つ以上含む、請求項２乃至４のいずれか１つに記載のディスペンサ装置。
【請求項６】
前記ディスペンサ１８は分配ポンプ１８である、請求項５に記載のディスペンサ装置。
【請求項７】
前記電気制御部２８は、
前記本体２０に固定され、前記浸漬管２２と同軸である金属リング４０と、
２つの接続タブ４２Ａ、４２Ｂと、を更に含み、
前記２つの接続タブの一方４２Ａは前記電池２６に接続され、前記２つの接続タブの他方４２Ｂは前記照射部２４に接続され、前記２つの接続タブ４２Ａ、４２Ｂは前記作動部材１２が作動されると前記リング４０に当接して前記電気回路３０を閉じるように適合されることを特徴とする、請求項４乃至請求項６のいずれか１つに記載のディスペンサ装置。
【請求項８】
前記電磁波源２４は発光ダイオード２４である、請求項７に記載のディスペンサ装置。
【請求項９】
前記ディスペンサ装置１０は携帯可能であり手動式である、請求項１乃至８のいずれか１つに記載のディスペンサ装置。
【請求項１０】
ディスペンサ装置１０を構成し、放出口３６と前記放出口３６の近傍に配置される開口部３８とを有する出口管３４に、タンク１４に収容された流体１１を通過させているときの流体分配手順を含み、
前記出口管３４の近傍に配置された電磁波源２４から成る照射部２４が電磁波を照射させるように、電気制御部２８を駆動させ、前記タンク１４に貯蔵されている前記流体１１には照射せず、
前記電磁波源２４は、前記開口部３８を通して前記流体１１を照射し、前記出口管３４を通過する前記流体１１のみが照射を受けることを特徴とする、ディスペンサ装置１０による流体の分配方法。
【請求項１１】
前記流体１１は前記ディスペンサ装置１０から放出される直前に照射される、請求項１０に記載の分配方法。
【請求項１２】
前記流体１１は照射により活性化される物質１３を含み、前記物質１３は前記出口管３４を通過する際に活性化される、請求項１０又は１１に記載の分配方法。
【請求項１３】
前記流体１１に対し１種以上の電磁波照射を行う、請求項１０乃至１２のいずれか１つに記載の分配方法。
【発明の詳細な説明】
【技術分野】
【０００１】
本発明は、流体製品を供給するためのディスペンサ装置と、流体製品の供給方法に関する。
【背景技術】
【０００２】
このようなディスペンサ装置として、特に医療用組成物、化粧用組成物、その他、導出管を通じて供給可能な程度の流動性を有する組成物の供給に用いられるものが知られている。
【発明の概要】
【発明が解決しようとする課題】
【０００３】
本発明の目的は、供給される流体製品の化学特性を変質可能なディスペンサ装置を提供することである。
具体的には、ディスペンサ装置は流体製品を変質可能にすることで、流体製品の作用を高め、皮膚における有効性及び／又は効果（例えば、メイクアップのための視覚効果の実現）を向上させる。
【０００４】
本発明のディスペンサ装置は、流体製品が通過できる導出管と、導出管から流体製品を供給するために作動可能な供給部を備え、ディスペンサ装置は、流体製品が導出管を通過する際に流体製品に照射するように構成された照射部を更に備えることを特徴とする。
【０００５】
そのため、流体製品は、非活性状態で貯蔵され、使用の直前に照射を行って活性状態へと変えることが可能である。
【課題を解決するための手段】
【０００６】
本発明の様々な実施形態においては、以下の構成のうち１つ以上の構成を採用することができる。
ディスペンサ装置は、供給される流体製品を貯蔵するタンクと、タンクに貯蔵された流体製品には照射せず、導出管を通過する流体製品のみに照射するように構成された照射部と、を更に含む。
照射部は電気装置である。
ディスペンサ装置は、
前記導出管を通じて前記流体製品を供給するように構成された作動部材と、
電力供給部と、
作動部材によって作動可能であり、作動部材が作動されたとき、電力供給部と電気照射部との間の電気回路を閉じるよう構成された電気制御部と、を更に含む。
作動部材は押しボタンである。
導出管は押しボタンの一部である。
電力供給部は、押しボタン内に配置された電池から成る。
供給部は押しボタンによって作動されることにより流体製品を導出管から供給することができ、供給部は、本体と、本体に可動的に取付けられ押しボタンに固定される浸漬管と、押しボタンに固定された電気接点を１つ以上と本体に固定された電気接点を１つ以上含む電気制御部と、から成る。
供給部は供給ポンプである。
電気制御部は、
本体に固定され、浸漬管と同軸である金属リングと、
２つの接続タブと、を更に含み、２つの接続タブの一方は電池に接続され、２つの接続タブの他方は照射部に接続され、２つの接続タブは作動部材が作動されるとリングに当接して電気回路を閉じるよう構成される。
照射部は電磁波源から成る。
電磁波源は発光ダイオードである。
電磁波源は導出管の近傍に配置される。
導出管は放出口と、放出口の近傍に配置される開口部と、を備え、電磁波源は開口部を通じて流体製品に照射するよう配置される。
ディスペンサ装置は、携帯可能であり手動式である。
【０００７】
また、本発明は、流体製品がディスペンサ装置に備えられた導出管を通る流体製品の供給手順を含む、ディスペンサ装置を用いた流体製品の供給方法に関する。
本発明によれば、供給手順において、流体製品は導出管内で照射を受ける。
【発明の効果】
【０００８】
流体製品の供給後に、活性化された流体製品がディスペンサ装置内に多量に残留することを防ぎ、タンク内の非活性流体製品の汚染を最小限に抑える為、ディスペンサ装置から放出される直前に流体製品に照射を行うことが好ましい。
タンク内の非活性流体製品に照射しないことで、流体製品は安定した非活性状態に保たれ、より長期の保存に耐えることができる。
【０００９】
好ましくは、流体製品は照射により活性化が可能な物質を含み、この物質は供給手順において導出管を通過する際に活性化される。
流体製品には、１種以上の電磁波を照射することが好ましい。
【００１０】
本発明のより良い理解の為、本発明の非限定的な一実施例について図面を用い詳細に説明する。
【図面の簡単な説明】
【００１１】
【図１】本発明の一実施形態によるディスペンサ装置を示す図である。
【図２】図１のディスペンサ装置のタンク以外の部分の縦断面図である。
【図３】電気回路が開状態のディスペンサ装置の回路模式図である。
【図４】電気回路が閉状態のディスペンサ装置の回路模式図である。
【符号の説明】
【００１２】
１１  流体製品
３４  導出管
１８  供給部
２４  照射部
１２  作動部材
２６  電力供給部
３０  電気回路
２８  電気制御部
【発明を実施するための形態】
【００１３】
図１は、タンク１４と、作動部材、具体的には押しボタン１２と、から成る流体製品のディスペンサ装置１０を示す図である。
押しボタン１２は、供給される流体製品１１を貯蔵するタンク１４に気密的に接続された環１６に、摺動自在に取付けられる。
【００１４】
ディスペンサ装置１０は、本体２０と、本体２０に可動的に取付けられ押しボタン１２に固定される空洞の浸漬管２２と、から成る供給部１８を更に含む。
【００１５】
供給部１８は、押しボタンによって作動するのに好適であり、導出管を通じて流体製品を供給するように構成された、プレストレスされたバネを任意に含む周知の種類の供給ポンプ、周知の種類の弁、又はその他の供給手段であってよい。
【００１６】
ディスペンサ装置１０は、好ましくは電気装置である照射部２４と、照射部２４が流体製品に照射するために電力を供給する電力供給部２６と、を更に含む。
一例として、電力供給部は、押しボタン１２内に配置された電池２６から成る。
【００１７】
ディスペンサ装置１０は、押しボタン１２によって作動可能であり、電池２６と照射部２４との間の電気回路３０を閉じるよう構成された電気制御部２８と、を更に含む。
【００１８】
一例として、照射部２４は、紫外線から赤外線までの範囲に含まれる１つ以上の波長で光を放射可能な電磁波源から成る。
照射の対象となる流体製品によって、単色光または多色光を使用してよい。
具体的には、電磁波源は発光ダイオード（ＬＥＤ）３２である。
周知の方法では、ＬＥＤの色は選択される半導体の波長により決まる。
これに限定されるものではないが、本発明に係るＬＥＤ３２は、好ましくは赤外線（ＩＲ）（７００ｎｍ以上）又は紫外線（ＵＶ）（２００ｎｍから４００ｎｍの範囲）で光（電磁波）を放射することで、タンク１４に貯蔵される流体製品１１に含まれる活性化可能な物質に照射し活性化する。
【００１９】
ディスペンサ装置１０は、タンク１４に貯蔵された流体製品１１を供給するための導管３４を更に含む。
具体的には、導管は押しボタン１２に形成される導出管３４である。
【００２０】
供給時に導出管３４内に含まれる流体製品１１のみに、好ましくは該流体製品１１がディスペンサ装置から放出される直前に、上記の光を照射するためには、ＬＥＤ３２は導出管３４の近傍に配置されることが好ましい。
すなわち、導出管３４には、放出口３６と、導出管３４内で放出口３６の近傍に形成される開口部３８と、が設けられる。
ＬＥＤ３２は、開口部３８を通じて照射できるよう、開口部３８に向かって配置される。
【００２１】
実施に際しては、ＬＥＤは、特に密閉性の問題を避けるため、オーバーモールド成形によって押しボタンに含まれる。
もしくは、ＬＥＤを流体製品から隔離する、漏れ止め用の覆いを設けてもよい。
また、放射された光の波長を変える目的で、開口部３８とＬＥＤとの間にフィルタを配置してもよい。
漏れ止め用の覆いを設ける場合、この覆いがフィルタとしても機能してよい。
【００２２】
流体製品１１は、導出管３４を通過する際、開口部３８を通じてＬＥＤ３２と接触することで、導出管３４を通過する際のみ照射を受ける。
流体製品１１が、放出される直前に活性化されるよう、ＬＥＤ３２は放出口３６の近傍に配置される。
これにより、作動後に供給部１８と押しボタン１２内に残留した流体製品１１のほとんどは活性化されないため、安定した状態に保たれる。
【００２３】
電気制御部２８は、供給部１８の本体２０に固定され、浸漬管２２の周囲に同軸となるように配置される金属リング４０を更に含む。
具体的には、本体２０に固定されるリング４０は、環１６に強固に取付けられる。
金属リング４０は、導電性材料で作られることが好ましく、また、円筒形状であることが好ましい。
【００２４】
電気制御部２８は、２つの接続タブ４２Ａ、４２Ｂを更に含む。
２つの接続タブ４２Ａ、４２Ｂは導電性材料で作られることが好ましく、浸漬管２２の周囲に、タンク１４に向かって長手方向に延びるように形成される。
一例として、接続タブ４２Ａは電池２６に接続され、接続タブ４２Ｂは照射部、具体的にはＬＥＤ３２、の端子に接続され、ＬＥＤの他方の端子は別の導体２６Ａを通じて電池２６に接続される。
図３、図４に図示されるとおり、接続タブ４２Ａ、４２Ｂはリング４０と接触して電気回路３０を閉状態にするよう構成される。
【００２５】
なお、押しボタン１２を作動すると、つまり、使用者が押しボタン１２を押し、環１６内をスライドさせてタンク１４に向かって移動させると、接続タブ４２Ａ、４２Ｂは押しボタン１２と共にスライドし、リング４０に向かって移動する。
リング４０は、本体２０に強固に固定される下部４０Ａと、浸漬管２２の周囲に同軸となるよう配置され、タンク１４側から押しボタン１２に向かって延びるように形成される非固定上部４０Ｂを含む。
【００２６】
押しボタン１２がタンク１４に向かって押し込まれると、接続タブ４２Ａ、４２Ｂは押しボタンと共に動き、押込みヘッド１２と共に本体２０に向かってスライドし、これにより、接続タブ４２Ａ、４２Ｂはリング４０の非固定上部４０Ｂの内面に弾性接触し、この内面に沿って垂直方向にスライドする。
接続タブ４２Ａ、４２Ｂがリング４０に接触すると、電気回路３０が閉状態となり、電池２６がＬＥＤ３２に電力を供給する。
その結果、ＬＥＤ３２は電磁波を放射し、流体製品１１が導出管３４を通過する際に、導出管３４内に含まれる流体製品にのみ、開口部３８を通じて照射することが可能になる。
【００２７】
図３、図４を参照すると、図３に示すように、押しボタン１２が押し込まれず、作動していないとき（タンク１４から離れた休止位置にあるとき）、接続タブ４２Ａ、４２Ｂはリング４０から離間しており、電気回路３０は開状態である。
押しボタン１２が作動されると、接続タブ４２Ａ、４２Ｂはリング４０に接触するまで該リング４０に向かって動き、図４に示すとおり電気回路３０は閉状態となり電流が流れ、ＬＥＤ３２は光線を放射できる。
押しボタン１２が、使用者によって作動されていないときに自動的に休止位置に戻るよう、弾性復元手段を設けてもよい。
【００２８】
想定される流体製品１１は、医療用流体又は化粧用流体であってよい。
【００２９】
一例として、想定される流体製品１１は、照射により活性化される所望の特性を有する生物学的有効成分を含んでよく、該特性は流体製品の使用時まで非活性状態で保存される。
【００３０】
化粧用の生物学的有効成分としては、例えば、皮膚の加齢を予防及び／又は改善するための、しわ予防効果を有する（Ｅ）−３，４’，５−トリメトキシスチルベン誘導体が挙げられる。
この分子は、Ｅ（トランス）型では想定された効果が活性化されていないが、Ｚ（シス）型ではレチノイン酸の特性と同様の特性を示す。
これは、２００ｎｍから４００ｎｍの範囲、好ましくは約２５０ｎｍの紫外線照射によりＥ型からＺ型に変化することが知られている。
【００３１】
同様のことが、硫化亜鉛などの色素を有する物質を含む、メークアップのための化粧用組成物についてもいえる。
この組成物が使用された瞬間に、リン光（硫化亜鉛の光学的特性）が発現する。
【００３２】
また、流体製品１１は、光の照射により開き、その内部に含んでいる物質を放出する、カプセル又はキャリアを含んでよい。
一例として、主に海洋由来のデオキシリボ核酸（ＤＮＡ）で構成される、紫外線の照射により開く特性を持った膜を有するカプセルを使用できる。
【００３３】
このように、特に、非活性状態で保存可能か、あるいは照射により破壊されるカプセル等の保護膜に包まれ、使用時に解放されるように保存可能な有効物質が含まれる場合、タンク１４に貯蔵された流体製品１１は、その特性を失うことなく長期間保存が可能となる。
【００３４】
所望する効果、すなわち、流体製品に含まれる特定の活性化可能な物質を活性化すること、及び／又はキャリアとしてのカプセルを解放すること、に基づいて、想定される利用法に適した照射光の種類を決定する方法は、当業者には周知であろう。
【００３５】
このために、当業者は本発明の装置に、照射光の種類（単色又は多色）と、電磁波源と、の双方の観点から好適である照射源を配備してよい。電磁波源は、放射する光（紫外線、赤外線、及び／又は可視光線）、ならびに、要求される出力により決定される。
【図１】
0005491038.tif 000002
【図２】
0005491038.tif 000003
【図３】
0005491038.tif 000004
【図４】
0005491038.tif 000005